(57)【要約】【課題】着信時にも、相手端末の通信機能を知ることができるようにした通信システムおよびゲートウェイ装置を提供することを目的としている。【解決手段】アナログ公衆回線網を回線として利用するアナログ通信端末装置を、ゲートウェイ装置を介してＩＰ網へ接続する通信システムにおいて、上記ゲートウェイ装置は、上記アナログ通信端末装置より受信した選択信号に対応した宛先の相手先情報を上記ＩＰ網より取得し、その取得した相手先情報を上記アナログ通信端末装置へ送信するようにしたので、アナログ通信端末装置は、回線の確立に先立って通信の可能性を判断することができ、その結果、適切な通信を行うことができるという効果を得る。【選択図】          図１
2004343574.tif 000002
【特許請求の範囲】
【請求項１】
アナログ公衆回線網を回線として利用するアナログ通信端末装置を、ゲートウェイ装置を介してＩＰ網へ接続する通信システムにおいて、
上記ゲートウェイ装置は、上記アナログ通信端末装置より受信した選択信号に対応した宛先の相手先情報を上記ＩＰ網より取得し、その取得した相手先情報を上記アナログ通信端末装置へ送信するようにしたことを特徴とする通信システム。
【請求項２】
前記アナログ通信端末装置は、前記ゲートウェイ装置より前記相手先情報を受信するためのデータモデム手段を備えるとともに、
上記ゲートウェイ装置は、上記アナログ通信端末装置へ上記相手先情報を送信するためのデータモデム手段を備えることを特徴とする請求項１記載の通信システム。
【請求項３】
前記ゲートウェイ装置は、ＥＮＵＭ機能を利用してＩＰ網より取得したＵＲＩを、前記相手先情報として、前記アナログ通信端末装置へ送信するようにしたことを特徴とする請求項１または請求項２記載の通信システム。
【請求項４】
前記前記アナログ通信端末装置は、前記ゲートウェイ装置より前記相手先情報を受信すると、その相手先情報を解析して、当該相手先と接続できる旨を判定すると、上記ゲートウェイ装置へ相手先情報受信完了信号を送信し、
上記ゲートウェイ装置は、上記相手先情報受信完了信号を上記アナログ通信端末装置より受信したときに限り、通信動作を維持することを特徴とする請求項１または請求項２または請求項３記載の通信システム。
【請求項５】
前記ゲートウェイ装置は、前記相手先情報を前記アナログ電話機へ送信しない１つ以上の選択信号を記憶した相手先情報非通知テーブルを備え、
前記アナログ通信端末装置より受信した選択信号が、上記相手先情報非通知テーブルに記憶されている場合には、当該選択信号に対応した前記相手先情報を前記ＩＰ網より取得しないことを特徴とする請求項１または請求項２または請求項３または請求項４記載の通信システム。
【請求項６】
アナログ公衆回線網を回線として利用するアナログ通信端末装置をＩＰ網へ接続するゲートウェイ装置において、
上記アナログ通信端末装置より受信した選択信号に対応した宛先の相手先情報を上記ＩＰ網より取得し、その取得した相手先情報を上記アナログ通信端末装置へ送信するようにしたことを特徴とするゲートウェイ装置。
【請求項７】
アナログ公衆回線網を回線として利用するアナログ通信端末装置をＩＰ網へ接続するゲートウェイ装置において、
上記アナログ通信端末装置より受信した選択信号について、ＥＮＵＭ機能を利用してＩＰ網よりＵＲＩを取得し、その取得したＵＲＩを相手先情報として上記アナログ通信端末装置へ送信するようにしたことを特徴とするゲートウェイ装置。
【請求項８】
アナログ公衆回線網を回線として利用するアナログ通信端末装置をＩＰ網へ接続するゲートウェイ装置において、
相手先情報を上記アナログ電話機へ送信しない１つ以上の選択信号を記憶した相手先情報非通知テーブルを備え、
上記アナログ通信端末装置より選択信号を受信すると、その受信した選択信号が上記相手先情報非通知テーブルに登録されているかどうかを調べ、登録されていない場合には、受信した選択信号に対応した宛先の相手先情報を上記ＩＰ網より取得し、その取得した相手先情報を上記アナログ通信端末装置へ送信する一方、登録されている場合には、相手先情報の取得を行わないようにしたことを特徴とするゲートウェイ装置。
【発明の詳細な説明】
【０００１】
【発明の属する技術分野】
本発明は、アナログ公衆回線網を回線として利用するアナログ通信端末装置を、ゲートウェイ装置を介してＩＰ網へ接続する通信システム、および、アナログ公衆回線網を回線として利用するアナログ通信端末装置をＩＰ網へ接続するゲートウェイ装置に関する。
【０００２】
【従来の技術】
近年、ＩＰ（Ｉｎｔｅｒｎｅｔ  Ｐｒｏｔｏｃｏｌ）網としてのインターネットの普及に伴い、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＦＴＴＨ（Ｆｉｂｅｒ  Ｔｏ  Ｔｈｅ  Ｈｏｍｅ）、および、ＣＡＴＶ（ＣＡｂｌｅ  ＴｅｌｅＶｉｓｉｏｎ）等の回線網が整備されつつあり、一般家庭等にまで常時接続回線の通信環境が拡大されるようになってきている。
【０００３】
また、このような常時接続回線の通信環境におけるＩＰ網の通信アプリケーションの１つにＩＰ電話通信がある。このＩＰ電話通信は、ＶｏＩＰ（Ｖｏｉｃｅｏｖｅｒ  ＩＰ）と呼ばれるＩＰ網上で音声通話を実現する技術を使用しており、その技術標準には、ＩＴＵ−Ｔ勧告Ｈ．３２３や、ＩＥＴＦ（Ｉｎｔｅｒｎｅｔ  Ｅｎｇｉｎｅｅｒｉｎｇ  Ｔａｓｋ  Ｆｏｒｃｅ）により規定されたＳＩＰ（Ｓｅｓｓｉｏｎ  Ｉｎｉｔｉａｔｉｏｎ  Ｐｒｏｔｏｃｏｌ）と呼ばれる通信プロトコルなどが適用される。
【０００４】
そして、このＩＰ電話通信を、既存のアナログ電話端末を用いて利用できるようにしたゲートウェイ装置が実用されている。このゲートウェイ装置は、例えば、ＶｏＩＰアダプタ装置、ＶｏＩＰゲートウェイ装置、ＩＰ電話アダプタ装置等と呼称される。
【０００５】
また、このゲートウェイ装置では、利用するアナログ電話端末に対して、着信時、相手端末の発信者番号を通知する機能を有するものも提案されている（特許文献１を参照）。
【０００６】
【特許文献１】
特開２００３−８７７６号公報（通信接続装置およびその通信方法）
【０００７】
【発明が解決しようとする課題】
ところで、ＩＰ電話通信を利用する通信端末は、電話端末以外にもグループ３ファクシミリ装置等、これまでアナログ公衆回線網ＰＳＴＮで用いられてきた通信端末が適用されることが考えられる。
【０００８】
そのため、着信した際に着信応答したとしても、自端末と相手端末の通信機能が相違するために、通信できないという事態を生じるおそれがあった。
【０００９】
本発明は、かかる実情に鑑みてなされたものであり、着信時にも、相手端末の通信機能を知ることができるようにした通信システムおよびゲートウェイ装置を提供することを目的としている。
【００１０】
【課題を解決するための手段】
本発明は、アナログ公衆回線網を回線として利用するアナログ通信端末装置を、ゲートウェイ装置を介してＩＰ網へ接続する通信システムにおいて、上記ゲートウェイ装置は、上記アナログ通信端末装置より受信した選択信号に対応した宛先の相手先情報を上記ＩＰ網より取得し、その取得した相手先情報を上記アナログ通信端末装置へ送信するようにしたものである。
【００１１】
また、前記アナログ通信端末装置は、前記ゲートウェイ装置より前記相手先情報を受信するためのデータモデム手段を備えるとともに、上記ゲートウェイ装置は、上記アナログ通信端末装置へ上記相手先情報を送信するためのデータモデム手段を備えたものである。
【００１２】
また、前記ゲートウェイ装置は、ＥＮＵＭ機能を利用してＩＰ網より取得したＵＲＩを、前記相手先情報として、前記アナログ通信端末装置へ送信するようにしたものである。
【００１３】
また、前記前記アナログ通信端末装置は、前記ゲートウェイ装置より前記相手先情報を受信すると、その相手先情報を解析して、当該相手先と接続できる旨を判定すると、上記ゲートウェイ装置へ相手先情報受信完了信号を送信し、上記ゲートウェイ装置は、上記相手先情報受信完了信号を上記アナログ通信端末装置より受信したときに限り、通信動作を維持するようにしたものである。
【００１４】
また、前記ゲートウェイ装置は、前記相手先情報を前記アナログ電話機へ送信しない１つ以上の選択信号を記憶した相手先情報非通知テーブルを備え、前記アナログ通信端末装置より受信した選択信号が、上記相手先情報非通知テーブルに記憶されている場合には、当該選択信号に対応した前記相手先情報を前記ＩＰ網より取得しないようにしたものである。
【００１５】
また、アナログ公衆回線網を回線として利用するアナログ通信端末装置をＩＰ網へ接続するゲートウェイ装置において、上記アナログ通信端末装置より受信した選択信号に対応した宛先の相手先情報を上記ＩＰ網より取得し、その取得した相手先情報を上記アナログ通信端末装置へ送信するようにしたものである。
【００１６】
また、アナログ公衆回線網を回線として利用するアナログ通信端末装置をＩＰ網へ接続するゲートウェイ装置において、上記アナログ通信端末装置より受信した選択信号について、ＥＮＵＭ機能を利用してＩＰ網よりＵＲＩを取得し、その取得したＵＲＩを相手先情報として上記アナログ通信端末装置へ送信するようにしたものである。
【００１７】
また、アナログ公衆回線網を回線として利用するアナログ通信端末装置をＩＰ網へ接続するゲートウェイ装置において、相手先情報を上記アナログ電話機へ送信しない１つ以上の選択信号を記憶した相手先情報非通知テーブルを備え、上記アナログ通信端末装置より選択信号を受信すると、その受信した選択信号が上記相手先情報非通知テーブルに登録されているかどうかを調べ、登録されていない場合には、受信した選択信号に対応した宛先の相手先情報を上記ＩＰ網より取得し、その取得した相手先情報を上記アナログ通信端末装置へ送信する一方、登録されている場合には、相手先情報の取得を行わないようにしたものである。
【００１８】
【発明の実施の形態】
以下、添付図面を参照しながら、本発明の実施の形態を詳細に説明する。
【００１９】
図１は、本発明の一実施例にかかる通信システムの一例を示している。
【００２０】
同図において、ゲートウェイ装置ＧＷ１，ＧＷ２は、アナログ公衆回線網用のアナログ電話機ＴＬ１，ＴＬ２をＩＰ網ＮＴへ接続して、ＶｏＩＰによる音声通信を行うためのものであり、ＩＴＵ−Ｔ勧告Ｈ．３２３や、ＩＥＴＦのＳＩＰが、通信プロトコルとして適用される。
【００２１】
また、ＩＰ網ＮＴは、「ＩＰネットワーク技術に関する研究会  報告書」（平成１４年２月  総務省  ｈｔｔｐ：／／ｗｗｗ．ｓｏｕｍｕ．ｇｏ．ｊｐ／ｓ−ｎｅｗｓ／２００２／０２０２２２＿３．ｈｔｍｌ＃０２を参照）にまとめられている通信機能等を備えたものであり、例えば、ＥＮＵＭ機能により、電話番号を参照して対応するユーザの通信情報（端末種別等の識別情報を含む）の検索サービスを提供する。
【００２２】
ここで、ＥＮＵＭ機能とは、いわゆる電話番号（＝Ｅ．１６４番号（ＩＴＵ−Ｔ勧告Ｅ．１６４で規定される国際公衆電気通信番号））をドメイン名（Ｆｕｌｌｙ  Ｑｕａｌｉｆｉｅｄ  Ｄｏｍａｉｎ  Ｎａｍｅ）に変換し、ＤＮＳ（Ｄｏｍａｉｎ  Ｎａｍｅ  Ｓｙｓｔｅｍ）を利用して端末の情報（ＵＲＩ＝（Ｕｎｉｆｏｒｍ  Ｒｅｓｏｕｒｃｅ  Ｉｄｅｎｔｉｆｉｅｒｓ；ＲＦＣ２３９６等を参照））を検索できるようにした機能である。
【００２３】
図２は、ゲートウェイ装置ＧＷ（ＧＷ１，ＧＷ２）の構成の一例を示している。
【００２４】
同図において、ＣＰＵ（中央処理装置）１は、このゲートウェイ装置ＧＷの動作制御を行うものであり、ＲＯＭ（リード・オンリ・メモリ）２は、ＣＰＵ１が起動時に実行するプログラムや必要なデータ等を記憶するためのものであり、ＲＡＭ（ランダム・アクセス・メモリ）３は、ＣＰＵ１のワークエリア等を構成するためのものである。
【００２５】
キャラクタジェネレータ４は、図形文字の表示データを発生するためのものであり、時計回路５は、現在日時情報を出力するためのものであり、ＩＰ網インターフェース回路６は、このゲートウェイ装置ＧＷをＩＰ網ＮＴに接続するためのものである。
【００２６】
アナログ電話機インターフェース回路７は、このゲートウェイ装置ＧＷへアナログ電話機ＴＬ（ＴＬ１，ＴＬ２）を接続するためのものであり、アナログ電話機ＴＬに対して、擬似的なアナログ回線網機能（電源供給等）を提供する機能や、アナログ電話機ＴＬとの間でやりとりするアナログ信号を、所定フォーマットのデジタル信号へ相互変換するコーデック機能や、アナログ電話機ＴＬより受信するＤＴＭＦ信号の復調機能等も備えている。
【００２７】
データモデム８は、アナログ電話機ＴＬとの間でデータのやりとりを行うためのものであり、例えば、アナログ公衆回線網でサービスされる発信者番号通知機能で適用するデータモデムと同様なモデム機能を備えている。
【００２８】
操作表示部９は、このゲートウェイ装置ＧＷを操作するためのものであり、適宜な操作キー群（図示略）および表示器（図示略）を備えている。
【００２９】
磁気ディスク装置１０は、このゲートウェイ装置ＧＷが実行する種々のプログラム等の種々のデータを記憶するためのものである。
【００３０】
これらのＣＰＵ１、ＲＯＭ２、ＲＡＭ３、キャラクタジェネレータ４、時計回路５、ＩＰ網インターフェース回路６、アナログ電話機インターフェース回路７、データモデム８、操作表示部９、および、磁気ディスク装置１０は、バス１１に接続されており、これらの各要素間のデータのやりとりは、主としてこのバス１１を介して行われる。
【００３１】
また、データモデム８とアナログ電話機インタフェース回路７との間のデータのやりとりは、直接行われる。
【００３２】
また、ＩＰ網インターフェース回路７は、ＩＰ網ＮＴへのデータのパケット化、アドレス処理、衝突の回避や監視の機能（ＯＳＩ参照モデムで言うところのデータリンク層）、物理的・電気的な規約に即したＩＰ網ＮＴに対するインターフェース機能（パルストランスなどを含む；ＯＳＩ参照モデムで言うところのフィジカル層）などを備える。
【００３３】
また、ＵＤＰ・ＴＣＰ（Ｕｓｅｒ  Ｄａｔａｇｒａｍ  Ｐｒｏｔｏｃｏｌ・Ｔｒａｎｓｍｉｓｓｉｏｎ  Ｃｏｎｔｒｏｌ  Ｐｒｏｔｏｃｏｌ）／ＩＰ、ＩＰ網上でリアルタイムに音声を送受信させるためのＲＴＰ（Ｒｅａｌ−ｔｉｍｅ  Ｔｒａｎｓｐｏｒｔ  Ｐｒｏｔｏｃｏｌ）などの上位プロトコルはＣＰＵ１が実行する。また、ＩＰ網ＮＴの音声における呼制御プロトコルとしてはＩＴＵ−Ｔ標準のＨ．３２３、ＩＥＴＦ既定のＳＩＰなどがあり、これらについてもＣＰＵ１が処理する。
【００３４】
図３は、アナログ電話機ＴＬ（ＴＬ１，ＴＬ２）の構成の一例を示している。
【００３５】
同図において、ＣＰＵ（中央処理装置）２１は、このアナログ電話機ＴＬの動作制御を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
【００３６】
キャラクタジェネレータ２４は、図形文字の表示データを発生するためのものであり、時計回路２５は、現在日時情報を出力するためのものであり、網制御装置２６は、このアナログ電話機ＴＬをゲートウェイ装置ＧＷに接続するためのものである。また、網制御装置２６は、選択信号としてＤＴＭＦ信号を送出する機能も備えている。
【００３７】
データモデム２７は、ゲートウェイ装置ＧＷとの間でデータのやりとりを行うためのものであり、例えば、アナログ公衆回線網でサービスされる発信者番号通知機能で適用するデータモデムと同様なモデム機能を備えている。
【００３８】
操作表示部２８は、このアナログ電話機ＴＬを操作するためのものであり、テンキー等の適宜な操作キー群（図示略）および表示器（図示略）を備えている。
【００３９】
通話ユニット２９は、音声入出力するための音声入出力部３０を接続するとともに、オンオフフック検出等を行うためのものである。
【００４０】
これらのＣＰＵ２１、ＲＯＭ２２、ＲＡＭ２３、キャラクタジェネレータ２４、時計回路２５、網制御装置２６、データモデム２７、操作表示部２８、および、通話ユニット２９は、バス３１に接続されており、これらの各要素間のデータのやりとりは、主としてこのバス３１を介して行われる。
【００４１】
また、データモデム２７と網制御装置２６との間のデータのやりとりは、直接行われる。
【００４２】
図４は、アナログ電話機ＴＬが発呼した場合の通話シーケンスの一例を示している。この場合は、通信が成立する場合のシーケンスである。
【００４３】
まず、アナログ電話機ＴＬのユーザがハンドセット（図示略）を取り上げる等して、オフフックすると、ゲートウェイ装置ＧＷとの間に直流ループが形成され、それにより、ゲートウェイ装置ＧＷは、接続されているアナログ電話機ＴＬがオフフックしたと検出する。
【００４４】
次に、アナログ電話機ＴＬのユーザは、電話番号をキー入力し、それにより、キー入力された電話番号を通知する相手先識別番号が、ＤＴＭＦ信号としてゲートウェイ装置ＧＷへ出力される。これにより、ゲートウェイ装置ＧＷは、受信しＤＴＭＦ信号から、対応する電話番号を検出する。
【００４５】
そして、ゲートウェイ装置ＧＷは、ＥＮＵＭ機能を用いて、検出した電話番号の相手先情報の検索要求をＩＰ網ＮＴに対して発行し、ＩＰ網ＮＴより、対応した相手先情報を取得する。
【００４６】
次に、ゲートウェイ装置ＧＷは、ＩＰ網ＮＴより取得した相手先情報を、データモデム８を用いて、アナログ電話機ＴＬへ送信する。アナログ電話機ＴＬでは、この相手先情報を受信すると、その内容を解析して、自端末と相手端末とが通信できるか否かを調べる。
【００４７】
そして、アナログ電話機ＴＬは、自端末と相手端末とが通信できると判定した場合には、所定のトーン信号である相手先情報受信完了信号をゲートウェイ装置ＧＷへ送信する。また、このときには、アナログ電話機ＴＬの操作表示部２８にはには、相手端末の情報が表示される。
【００４８】
ゲートウェイ装置ＧＷは、この相手先情報受信完了信号をアナログ電話機ＴＬより受信すると、アナログ電話機ＴＬが通話可能である旨を認識し、アナログ電話機ＴＬとの間の回線を極性反転し、回線接続状態として設定する。
【００４９】
それにより、アナログ電話機ＴＬは、ゲートウェイ装置ＧＷを介して、ＩＰ網ＮＴへ接続され、相手端末との間で、適宜な通信（通話）を行うことができる。また、この時点から課金が開始される。それとともに、アナログ電話機ＴＬの操作表示部２８には、そのときの相手端末との通話状況が表示される。
【００５０】
このとき、アナログ電話機ＴＬから受信したアナログ信号は、アナログ電話機インターフェース回路７により対応する送信デジタル信号へ変換され、ＩＰ網インターフェース回路６を介して、ＩＰ網ＮＴへ出力されるとともに、ＩＰ網ＮＴより受信した受信デジタル信号は、ＩＰ網インターフェース回路６を介して受信され、アナログ電話機インターフェース回路７により対応するアナログ送信信号へ変換されて、アナログ電話機ＴＬへ送信される。そして、通話が終了すると、アナログ電話機ＴＬは、オンフックして回線の直流ループを断する。また、この時点で、課金が終了される。
【００５１】
これにより、ゲートウェイ装置ＧＷは、アナログ電話機ＴＬとの間の回線の極性を戻し（極性復極）、一連の通話動作を終了する。
【００５２】
図５は、アナログ電話機ＴＬが発呼したものの、通信を行わなかった場合のシーケンス例を示している。
【００５３】
まず、アナログ電話機ＴＬのユーザがハンドセット（図示略）を取り上げる等して、オフフックすると、ゲートウェイ装置ＧＷとの間に直流ループが形成され、それにより、ゲートウェイ装置ＧＷは、接続されているアナログ電話機ＴＬがオフフックしたと検出する。
【００５４】
次に、アナログ電話機ＴＬのユーザは、電話番号をキー入力し、それにより、キー入力された電話番号を通知する相手先識別番号が、ＤＴＭＦ信号としてゲートウェイ装置ＧＷへ出力される。これにより、ゲートウェイ装置ＧＷは、受信しＤＴＭＦ信号から、対応する電話番号を検出する。
【００５５】
そして、ゲートウェイ装置ＧＷは、ＥＮＵＭ機能を用いて、検出した電話番号の相手先情報の検索要求をＩＰ網ＮＴに対して発行し、ＩＰ網ＮＴより、対応した相手先情報を取得する。
【００５６】
次に、ゲートウェイ装置ＧＷは、ＩＰ網ＮＴより取得した相手先情報を、データモデム８を用いて、アナログ電話機ＴＬへ送信する。アナログ電話機ＴＬでは、この相手先情報を受信すると、その内容を解析して、自端末と相手端末とが通信できるか否かを調べる。
【００５７】
そして、アナログ電話機ＴＬは、自端末と相手端末とが通信できないと判定した場合には、オンフックして回線の直流ループを断する。それにより、ゲートウェイ装置ＧＷは、その時点で、呼制御動作を終了する。また、この場合には、アナログ電話機ＴＬの操作表示部２８には、通信機能が一致しないために通話を行わない旨が表示される。
【００５８】
このようにして、アナログ電話機ＴＬが通話を希望しない場合には、課金が開始される前の段階で回線が切断されるので、無駄に通信料金がかかるような事態を生じない。
【００５９】
このようにして、本実施例では、アナログ電話機ＴＬに対して、宛先の通信機能等をあらわす相手先情報が通知されるので、アナログ電話機ＴＬは、回線の確立に先立って通信の可能性を判断することができ、その結果、適切な通信を行うことができる。
【００６０】
ここで、アナログ電話機ＴＬが選択した宛先がフリーダイアル等の特定の３桁の電話番号で始まるものであったり、あるいは、緊急番号（１１０，１１９等）などの特定の電話番号の場合には、その相手端末の情報があらかじめ知られていると考えられるので、相手先情報を通知する必要がない。
【００６１】
また、アナログ電話機ＴＬ側で通信を拒否したような特定の相手先についても、相手先情報を通知する必要がない。
【００６２】
そこで、図６に示すように、相手先情報を通知する必要がない宛先の電話番号については、相手先情報非通知テーブルに登録して、相手先情報を通知するか否かを判断するようにすればよい。
【００６３】
図７は、アナログ電話機ＴＬが発呼する際のゲートウェイ装置ＧＷの処理の一例を示している。
【００６４】
接続されているアナログ電話機ＴＬがオフフックして直流ループを検出すると（処理１０１）、アナログ電話機ＴＬより選択信号を受信する（処理１０２）。そして、ＥＮＵＭ機能を用いて、受信した選択信号の電話番号の相手先情報の検索要求をＩＰ網ＮＴに対して発行し、ＩＰ網ＮＴより、対応した相手先情報を取得する（処理１０３）。
【００６５】
ここで、処理１０２で受信した電話番号について、相手先情報非通知テーブルを参照して、相手先情報を伝達するように登録されているかどうかを調べる（判断１０４）。
【００６６】
受信した電話番号が相手先情報非通知テーブルに登録されていない場合で、判断１０４の結果がＹＥＳになるときには、ＩＰ網ＮＴより取得した相手先情報を、データモデム８を用いて、アナログ電話機ＴＬへ送信し（処理１０５）、所定時間を計時するタイマをスタートする（処理１０６）。
【００６７】
そして、処理１０６でスタートしたタイマがタイムアウトするまでの間に、アナログ電話機ＴＬが直流ループを断するか、あるいは、アナログ電話機ＴＬより相手先情報受信完了信号を受信することを監視する（判断１０７，１０８，１０９のＮＯループ）。
【００６８】
処理１０６でスタートしたタイマがタイムアウトするまでの間に、アナログ電話機ＴＬより相手先情報受信完了信号を受信した場合で、判断１０９の結果がＹＥＳになるときには、アナログ電話機ＴＬとの間の回線を極性反転し（処理１１１）、回線接続状態として設定する。
【００６９】
そして、所定のポイント・ツー・ポイント通信処理を行う（処理１１２）。この処理１１２を終了すると、アナログ電話機ＴＬより直流ループ断を検出し（処理１１３）、アナログ電話機ＴＬとの回線の極性を復極して（処理１１４）、一連の処理を終了する。
【００７０】
また、処理１０６でスタートしたタイマがタイムアウトするまでの間に、アナログ電話機ＴＬが直流ループを断した場合で、判断１０８の結果がＹＥＳになるときには、その時点で、この処理を終了する。
【００７１】
また、処理１０６でスタートしたタイマがタイムアウトした場合で、判断１０７の結果がＹＥＳになるときには、そのときの電話番号を相手先情報非通知テーブルに登録して（処理１１５）、この処理を終了する。
【００７２】
また、アナログ電話機ＴＬより受信した電話番号が、相手先情報非通知テーブルに登録されている場合で、判断１０４の結果がＮＯになるときには、処理１１１へ移行し、それ以降の処理を実行する。
【００７３】
図８は、アナログ電話機ＴＬの発呼時の処理の一例を示している。
【００７４】
ユーザがハンドセットを取り上げてオフフックを検出すると（処理２０１）、ユーザが相手先の電話番号（相手先番号）を入力完了するまで待つ（処理２０２、判断２０３のＮＯループ）。ユーザが相手先番号の入力を完了して、判断２０３の結果がＹＥＳになると、入力された相手先番号をＤＴＭＦ信号として送信する（処理２０４）。
【００７５】
ここで、ゲートウェイ装置ＧＷより相手先情報を受信するかどうかを調べる（判断２０６）。判断２０６の結果がＹＥＳになるときには、相手先情報の内容を解析して、自端末と通信可能であるかどうかを調べる（処理２０６、判断２０７）。
【００７６】
判断２０７の結果がＹＥＳになるときには、ゲートウェイ装置ＧＷに相手先情報受信完了信号を送信し（処理２０８）、通信状態（通話状態）へ移行して、操作表示部２８へ通信状態を表示し（処理２０９）、オンフックされるまで待ち（判断２１０）、オンフックされて判断２１０の結果がＹＥＳになると、このときの処理を終了する。
【００７７】
また、判断２０７の結果がＮＯになるときには、通信拒否を操作表示部２８へ表示して（処理２１１）、このときの処理を終了する。
【００７８】
また、ゲートウェイ装置ＧＷより相手先情報を受信しなかった場合で、判断２０５の結果がＮＯになるときには、処理２０９へ移行し、通信動作を行う。
【００７９】
ところで、上述した実施例では、ゲートウェイ装置ＧＷにアナログ電話機ＴＬを接続した場合について説明したが、グループ３ファクシミリ装置等、他のアナログ通信端末装置を接続した場合についても、本発明を同様にして適用することができる。
【００８０】
また、ゲートウェイ装置ＧＷとしては、例えば、ＩＰ網ＮＴに接続する回線がＡＤＳＬ回線の場合には、ＡＤＳＬ回線におけるゲートウェイ機能を備えたＡＤＳＬモデムを適用することができ、あるいは、ＩＰ網ＮＴに接続する回線がＣＡＴＶ網の回線の場合には、ＣＡＴＶ網におけるゲートウェイ機能を備えたケーブルモデムを適用することもできる。
【００８１】
【発明の効果】
以上説明したように、本発明によれば、アナログ公衆回線網を回線として利用するアナログ通信端末装置を、ゲートウェイ装置を介してＩＰ網へ接続する通信システムにおいて、上記ゲートウェイ装置は、上記アナログ通信端末装置より受信した選択信号に対応した宛先の相手先情報を上記ＩＰ網より取得し、その取得した相手先情報を上記アナログ通信端末装置へ送信するようにしたので、アナログ通信端末装置は、回線の確立に先立って通信の可能性を判断することができ、その結果、適切な通信を行うことができるという効果を得る。
【図面の簡単な説明】
【図１】本発明の一実施例にかかる通信システムの一例を示したブロック図。
【図２】ゲートウェイ装置ＧＷ（ＧＷ１，ＧＷ２）の構成の一例を示したブロック図。
【図３】アナログ電話機ＴＬ（ＴＬ１，ＴＬ２）の構成の一例を示したブロック図。
【図４】アナログ電話機ＴＬが発呼した場合の通話シーケンスの一例を示したタイムチャート。
【図５】アナログ電話機ＴＬが発呼した場合の通話シーケンスの他の例を示したタイムチャート。
【図６】相手先情報非通知テーブルの一例を示した概略図。
【図７】アナログ電話機ＴＬが発呼する際のゲートウェイ装置ＧＷの処理の一例を示したフローチャート。
【図８】アナログ電話機ＴＬの発呼時の処理の一例を示したフローチャート。
【符号の説明】
ＴＬ，ＴＬ１，ＴＬ２  アナログ電話機
ＧＷ，ＧＷ１，ＧＷ２  ゲートウェイ装置
【図１】
2004343574.tif 000003
【図２】
2004343574.tif 000004
【図３】
2004343574.tif 000005
【図４】
2004343574.tif 000006
【図５】
2004343574.tif 000007
【図６】
2004343574.tif 000008
【図７】
2004343574.tif 000009
【図８】
2004343574.tif 000010